(57)【要約】      （修正有）【課題】Ｄキー、Ｅキー、Ｆキーの少なくともいずれか１つのキーの開放度を容易に調整する手段を設けたサクソフォンを提供する。【解決手段】Ｄキー、Ｅキー、Ｆキーのうち、少なくともいずれか一つのキーから延設された足の先端部分に、サクソフォンの管体１０６と当接し、キー操作の際に離間する足パッド１０１〜１０３を備えている。さらに、その足パッド１０１〜１０３において、サクソフォンの管体１０６との当接位置からの足パッド１０１〜１０３の高さを調整する、ねじ頭部２１１、２２１、２３１と連結ナット２１２、２２２、２３２と、パッド装着部２１３、２２３、２３３及びパッド部２１４、２２４、２３４を含む調整手段を設けた。【選択図】図２Ａ
2015166784.tif 000002
【特許請求の範囲】
【請求項１】
Ｄキー、Ｅキー、Ｆキーの少なくともいずれか一つのキーから延設された足の先端部分に管体と当接する足パッドを備え、
前記足パッドにおいて、前記管体との当接位置からの前記足パッドの高さを調整する調整手段を設けたことを特徴とするサクソフォン。
【請求項２】
前記調整手段は、足に固定されたパッド連結部に対する、パッドの回転により、パッドの位置が変化する機構であることを特徴とする請求項１に記載のサクソフォン。
【請求項３】
請求項１または２に記載のサクソフォンに設けられた足パッド。
【発明の詳細な説明】
【技術分野】
【０００１】
本発明は、サクソフォンおよびその部品に関する。
【背景技術】
【０００２】
上記技術分野において、特許文献１の図１には、サクソフォンの外観図が示されている。
【先行技術文献】
【特許文献】
【０００３】
【特許文献１】特開平７−１０４７４０号公報
【発明の概要】
【発明が解決しようとする課題】
【０００４】
分かりやすいように、図５に従来のサクソフォンの全体外観図を示し、図６〜８に部分拡大図を示す。図５のキー５０１〜５０３は、それぞれ、Ｄ（レ）、Ｅ（ミ）、Ｆ（ファ）のキーであり、一般的に、それらのキーを右手の薬指、中指、人差し指で押さえることで、それぞれの音を奏でることができる。
【０００５】
図６は、ベル５０４の裏側（図５の矢印方向）から見た、部分外観図である。キー５０１〜５０３は、棒６０４に固定されている。棒６０４は、キー５０１〜５０３との連結部分で３つに分割された構造になっており、それぞれ足パッド６０１〜６０３に連動している。つまり、いずれのキーも押されていない場合には、図７のように、全ての足パッド６０１〜６０３が二番管６０６の外表面に接しているが、キー５０３のみを押さえた場合には、図８のように、棒６０５と共に足パッド６０３が浮く。同様に、キー５０１のみを押さえた場合には、棒６０５と共に足パッド６０１が浮き、キー５０２のみを押さえた場合には、棒６０５と共に足パッド６０２が浮く。
【０００６】
逆に言えば、足パッド６０１〜６０３の位置（高さ）が、キー５０１〜５０３の開放度合いを決めることになる。従来は、足パッド６０１〜６０３と二番管６０６とがぶつかる際に発するカンカン音を和らげるため、足パッド６０１〜６０３側にコルク７０１〜７０３を貼り、二番管６０６側に、フェルト７０４〜７０６を貼るなどしていたが、ボディ側にフェルトを貼ると音が変わってしまい、響きを妨げてしまうため好ましくなかった。一方、足パッド６０１〜６０３側にフェルトを貼ると、フェルトのへたり具合によって、キーの開放度が変わってしまい、その開放度の調整が難しかった。
【０００７】
本発明の目的は、上述の課題を解決する技術を提供することにある。
【課題を解決するための手段】
【０００８】
上記目的を達成するため、本発明にかかるサクソフォンにあっては、
Ｄ、Ｅ、Ｆのキーの少なくともいずれか一つのキーの足に延設される足パッドにおいて、足パッドの高さを調整する調整手段を設けたことを特徴とする。
【０００９】
前記調整手段は、足に固定されたボルトに対する、パッドの回転により、パッドの位置が変化する機構であることも好適である。
【００１０】
上記目的を達成するため、本発明にかかるサクソフォンの部品としての足パッドは、上記サクソフォンに設けられた足パッドである。
【発明の効果】
【００１１】
本発明によれば、Ｄ、Ｅ、Ｆの少なくともいずれかのキーの足パッドの高さを容易に調整し、キーの開放度を容易に調整することができる。
【図面の簡単な説明】
【００１２】
【図１】本発明の第１実施形態に係るサクソフォンの部分拡大図である。
【図２Ａ】本発明の第１実施形態に係るサクソフォンの部分拡大図である。
【図２Ｂ】本発明の第１実施形態に係るサクソフォンの部分拡大図である。
【図３】本発明の第１実施形態に係るサクソフォンの部分拡大図である。
【図４】本発明の第１実施形態に係るサクソフォンの足パッドの拡大断面図である。
【図５】従来のサクソフォンの全体図である。
【図６】従来のサクソフォンの部分拡大図である。
【図７】従来のサクソフォンの部分拡大図である。
【図８】従来のサクソフォンの部分拡大図である。
【発明を実施するための形態】
【００１３】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１４】
［第１実施形態］
（サクソフォン全体構成）
本発明の第１実施形態としてのサクソフォン１００の外観は図５と同様である。これに対し、図１は、図５のベル５０４の裏側（図５の矢印方向）から見た、部分外観図である。図２Ａ、図２Ｂ、図３は、さらにその拡大図である。図２Ｂは、図２Ａの矢印２０１方向から見た図である。キー５０１〜５０３は、棒１０４に固定されている。棒１０４は、キー５０１〜５０３との連結部分ごとに３つに分割された構造になっており、それぞれ足パッド１０１〜１０３に連動している。足パッド１０１〜１０３は、Ｄキー、Ｅキー、Ｆキーから延設された足の先端部分に設けられており、管体（二番管１０６の外表面）と当接する。
【００１５】
つまり、いずれのキーも押されていない場合には、図１、図２Ａのように、全ての足パッド１０１〜１０３が二番管１０６の外表面に接しているが、キー５０３のみを押さえた場合には、図３のように、棒１０５と共に足パッド１０３が浮く（二番管１０６の外表面から離間する）。同様に、キー５０１のみを押さえた場合には、棒１０５と共に足パッド１０１が浮き、キー５０２のみを押さえた場合には、棒１０５と共に足パッド１０２が浮く。
【００１６】
逆に言えば、二番管１０６に当接した状態の足パッド１０１〜１０３の位置（高さ）が、キー５０１〜５０３の開放度合いを決めることになる。
【００１７】
本実施形態では、足パッド１０１〜１０３がそれぞれ、調整手段として、ねじ頭部２１１、２２１、２３１と、連結ナット２１２、２２２、２３２と、パッド装着部２１３、２２３、２３３と、パッド部２１４、２２４、２３４とを含む。これらの調整手段により、二番管１０６の外表面からの足パッドの高さ（二番管１０６との当接位置としての外表面から足（すなわち連結ナット）までの距離）を調整する。ここでは、全ての足パッド１０１〜１０３について、調整手段を設けたが、本発明はこれに限定されるものではなく、少なくともいずれか一つの足パッドに調整機能が設けられていれば効果はある。
【００１８】
これらの調整手段は、足に固定されたパッド連結部としての連結ナット２１２、２２２、２３２に対する、パッド部２１４、２２４、２３４の回転により、パッド部の位置が変化する機構である。ねじ頭部２１１、２２１、２３１は、それぞれ、パッド部２１４、２２４、２３４と一体となっており、その上面には、ドライバ挿入用の溝が切られている。パッド部２１４、２２４、２３４に連結しているねじ頭部２１１、２２１、２３１をドライバ（不図示）で回転させることにより連結ナット２１２、２２２、２３２に対するパッド装着部２１３、２２３、２３３の位置が変わる。そして最終的に、パッド部２１４、２２４、２３４と二番管１０６表面との距離、当たりが変わる構成となっている。
【００１９】
図４は足パッド１０１の詳しい構成を説明するための断面図である。連結ナット２１２は、図のように、円筒形状で、中央円孔内面に雌ねじ４０１を有している。パッド装着部２１３の上部はねじ頭部２１１と連続するねじ部４０３となっており、ねじ頭部２１１を回転させると、ねじ部４０３、パッド装着部２１３およびパッド部２１４が、同じく回転する。
【００２０】
一方、パッド装着部２１３の下面には、コルクまたはフェルトを材料とするパッド部２１４が接着されている。このため、ねじ頭部２１１を回転することにより、連結ナット２１２とパッド装着部２１３との間隙４０５を変化させることができる。
【００２１】
これにより、コルクを削ったり、ボディにフェルトを貼ったりしなくても、キー５０１〜５０３の開放具合を変えることができ、極めて簡単に望みの音色を奏でたり、音程や吹奏感を変えたりすることが可能になる。また、コルクやフェルトなど、パッド部２１４がへたったり、削れたりした場合にも、パッド装着部２１３を回転させるだけで、キー５０１〜５０３の開放具合を維持することができる。さらには、ねじ頭部を回し続ければ、連結ナットからパッド部を取り外すことができ、別のパッド部が取り付けられたパッド装着部から延設されたねじ頭部を連結ナットの雌ねじに挿入して締合することで、簡単に新たな足パッドを組み立てることができる。さらには、パッド装着部２１３からパッド部２１４のみをはがして、新しいパッド部２１４を接着することもできる。また、ねじ部４０３のゆるみ防止のため、連結ナット２１２、２２２、２３２の側面から、極小ねじをねじ込んで中のねじ部４０３を固定してもよい。
【００２２】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。
【図１】
2015166784.tif 000003
【図２Ａ】
2015166784.tif 000004
【図２Ｂ】
2015166784.tif 000005
【図３】
2015166784.tif 000006
【図４】
2015166784.tif 000007
【図５】
2015166784.tif 000008
【図６】
2015166784.tif 000009
【図７】
2015166784.tif 000010
【図８】
2015166784.tif 000011